(57)【要約】【課題】大容量の超音波映像情報をリアルタイムでそして容易に格納することができる超音波診断システムを提供する。【解決手段】本発明は大容量の超音波映像情報を格納することができる超音波診断システムに関するもので、超音波信号を対象体に送信し、前記対象体から反射されてきた超音波エコー信号を受信するための超音波送受信手段と、前記超音波エコー信号に基づいて超音波データを形成し、前記超音波データを出力するための第１インターフェース手段を備えるデータ形成手段と、前記データ形成手段から出力された前記超音波データを格納し、前記超音波データを受信するための第２インターフェース手段を備える外部格納部を備える超音波診断システムを提供する。【選択図】図１
2006346467.tif 000002
【特許請求の範囲】
【請求項１】
超音波信号を対象体に送信して、前記対象体から反射されてきた超音波エコー信号を受信するための超音波送受信手段と、
前記超音波エコー信号に基づいて超音波データを形成し、前記超音波データを出力するための第１インターフェース手段を備えるデータ形成手段と、
前記データ形成手段から出力された前記超音波データを格納して、前記超音波データを受信するための第２インターフェース手段を備える外部格納部と、
を備えることを特徴とする超音波診断システム。
【請求項２】
前記超音波映像情報は超音波映像データと前記超音波映像データと関連した映像パラメータとを含むことを特徴とする請求項１に記載の超音波診断システム。
【請求項３】
前記超音波映像データは２次元超音波映像データ、ドップラー映像データ、ドップラースペクトルデータ、Ｍ−モードデータ、Ｂ−モード映像データ、ＥＣＧデータを含み、
前記映像パラメータは互いに異なる種類のデータを同期させるためのデータ同期情報、超音波映像データで各フレームの獲得時間間隔情報、超音波映像データを処理するのに必要な映像処理情報、超音波映像データのデータ情報を表示するためのデータ表示情報を含むことを特徴とする請求項２に記載の超音波診断システム。
【請求項４】
ユーザーの入力によって制御信号を生成して前記超音波映像に識別子を付与するための制御部をさらに備えることを特徴とする請求項２に記載の超音波診断システム。
【請求項５】
前記第１インターフェース手段は、
前記超音波映像データを送受信するための第１インターフェース部と、
前記映像パラメータを送受信するための第２インターフェース部と、
前記制御信号を転送するための第３インターフェース部とを備え、
前記第２インターフェース手段は、
前記超音波映像データを送受信するための第４インターフェース部と、
前記映像パラメータを送受信するための第５インターフェース部と、
前記制御信号を受信するための第６インターフェース部と、
を備えることを特徴とする請求項４に記載の超音波診断システム。
【請求項６】
前記外部格納部は、
前記制御信号に応答して前記超音波映像データを圧縮及び復元するためのコーデック部と、
前記超音波映像データ、圧縮超音波映像データ及び前記映像パラメータを格納するための格納部と、
を備えることを特徴とする請求項５に記載の超音波診断システム。
【請求項７】
超音波診断システムで外部格納装置に超音波データを格納する方法において、
ａ）対象体から反射された超音波エコー信号に基づいて超音波映像データと前記超音波映像データに関連したパラメータを含む超音波データを生成する段階と、
ｂ）前記超音波データを格納するためにデータ格納モードを選択する段階と、
ｃ）前記超音波データの中で前記超音波映像データに識別子を付与する段階と、
ｄ）前記超音波データを外部格納装置に転送する段階と、
ｅ）前記超音波映像データを圧縮するかを判断する段階と、
ｆ）前記超音波映像データを圧縮する段階と、
ｇ）前記超音波映像データまたは前記圧縮された超音波映像データ及び前記映像パラメータを格納する段階と、
を有することを特徴とする超音波データ格納方法。
【請求項８】
前記超音波映像データは２次元超音波映像データ、ドップラー映像データ、ドップラースペクトルデータ、Ｍ−モードデータ、Ｂ−モード映像データ、ＥＣＧデータを含み、
前記映像パラメータは互いに異なった種類のデータを同期させるためのデータ同期情報、超音波映像データで各フレームの獲得時間間隔情報、超音波映像データを処理するのに必要な映像処理情報、超音波映像データのデータ情報を表示するためのデータ表示情報と、
を含むことを特徴とする請求項７に記載の超音波データ格納方法。
【請求項９】
超音波診断システムで外部格納装置から超音波データを読み出す方法において、
ａ）データ読み出しモードを選択する段階と、
ｂ）超音波映像データと前記超音波映像データに関連した映像パラメータとを含む超音波データを前記外部格納装置で検索する段階と、
ｃ）検索された前記超音波映像データの圧縮如何に応じて、復元（ｄｅｃｏｍｐｒｅｓｓｉｏｎ）するかを判断する段階と、
ｄ）前記検索された超音波映像データが圧縮データの場合、前記圧縮超音波映像データを復元する段階と、
ｅ）前記超音波映像データ及び前記映像パラメータを読み出す段階と、
を有することを特徴とする超音波映像データ読み出し方法。
【請求項１０】
前記超音波映像データは２次元超音波映像データ、ドップラー映像データ、ドップラースペクトルデータ、Ｍ−モードデータ、Ｂ−モード映像データ、ＥＣＧデータを含み、
前記映像パラメータは互いに異なった種類のデータを同期させるためのデータ同期情報、超音波映像データで各フレームの獲得時間間隔情報、超音波映像データを処理するのに必要な映像処理情報、超音波映像データのデータ情報を表示するためのデータ表示情報
を含むことを特徴とする請求項９に記載の超音波データ読み出し方法。
【発明の詳細な説明】
【技術分野】
【０００１】
本発明は超音波診断システムに関するもので、特に大容量の超音波映像情報を格納する超音波診断システムに関する。
【０００２】
一般に、超音波診断システムは被検体の体表から体内の所望部位に向かって超音波信号を照射し、反射された超音波信号（超音波エコー信号）の情報を用いて軟部組織の断層や血流に関する映像を非侵入によって得る装置である。この装置はＸ線診断装置、Ｘ線ＣＴスキャナ（Ｃｏｍｐｕｔｅｒｉｚｅｄ  Ｔｏｍｏｇｒａｐｈｙ  Ｓｃａｎｎｅｒ）、ＭＲＩ（Ｍａｇｎｅｔｉｃ  Ｒｅｓｏｎａｎｃｅ  Ｉｍａｇｅ）、核医学診断装置などの他の画像診断装置と比較する時、 小型且つ安価で、リアルタイムで表示可能で、Ｘ線などの被曝がなく、安全性が高い長所を有しており、心臓、腹部、泌尿器及び産婦人科の診断のために広く用いられている。
【背景技術】
【０００３】
従来の超音波診断システムは超音波映像情報を超音波診断システム内のメモリに一時的に格納する。ここで、超音波映像情報は対象体から反射されてきた超音波エコー信号に基づいて形成されたアナログまたはデジタル超音波映像データと、これと関連した映像パラメータとを含む。
しかし、前記メモリは容量が小さいため、大容量の超音波映像情報（特に、リアルタイム３次元超音波映像情報）を格納するのに限界がある。このような格納容量の限界を克服するために、複数のメモリを超音波診断システムに追加することによって、格納容量を拡張させることができる。しかし、超音波診断システムに拡張できるメモリの数は制限され、また、メモリの価格が高価である短所がある。
【０００４】
前述したメモリの格納容量及び拡張の限界を解決するために、従来の超音波診断システムは超音波診断システムに磁気記録媒体を連結して超音波映像情報を磁気記録媒体にアナログ方式で格納したり、超音波診断システムにＣＤレコーダを連結して超音波映像情報をＣＤにデジタル方式で格納している。
【０００５】
しかし、超音波映像情報をアナログ方式で磁気記録媒体に格納する場合、画質が鮮明でなく、ユーザーが見ようとする超音波映像情報を速やかに検索できず、永久保存が難しい問題がある。
一方、超音波映像情報をデジタル方式でＣＤに格納する場合、ＣＤで超音波映像情報の記録が開始され終了するごとに、ＣＤのトラックとセクタを整列するファイナリゼーション（Ｆｉｎａｌｉｚａｔｉｏｎ）とアンファイナリゼーション（Ｕｎｆｉｎａｌｉｚａｔｉｏｎ）を実施しなければならないため、超音波映像情報を格納するのに相当な時間が要される。
従って、診療過程中にリアルタイムでＣＤに記録することは不可能で、超音波映像情報を補助記憶媒体に別途に格納して編集した後、ＣＤに再び格納しなければならないため、非常に不便であるという問題がある。
【発明の開示】
【発明が解決しようとする課題】
【０００６】
本発明は前述した問題を解決するためのもので、大容量の超音波映像情報をリアルタイムでそして容易に格納することができる超音波診断システムを提供することを目的とする。
【課題を解決するための手段】
【０００７】
前記目的を達成するため、本発明の超音波診断システムは超音波信号を対象体に送信し、前記対象体から反射されてきた超音波エコー信号を受信するための超音波送受信手段と、前記超音波エコー信号に基づいて超音波データを形成し、前記超音波データを出力するための第１インターフェース手段を備えるデータ形成手段と、前記データ形成手段から出力された前記超音波データを格納して、前記超音波データを受信するための第２インターフェース手段を備える外部格納部を含む。
【０００８】
また、本発明による超音波診断システムで外部格納装置に超音波データを格納する方法は、ａ）対象体から反射された超音波エコー信号に基づいて超音波映像データと前記超音波映像データに関連したパラメータを含む超音波データを生成する段階と、ｂ）前記超音波データを格納するためにデータ格納モードを選択する段階と、ｃ）前記超音波データの中で前記超音波映像データに識別子を付与する段階と、ｄ）前記超音波データを外部格納装置に転送する段階と、ｅ）前記超音波映像データを圧縮するかを判断する段階と、ｆ）前記超音波映像データを圧縮する段階と、及びｇ）前記超音波映像データまたは前記圧縮された超音波映像データ及び前記映像パラメータを格納する段階を含む。
【０００９】
また、本発明による超音波診断システムで外部格納装置から超音波データを読み出す方法は、ａ）データ読み出しモードを選択する段階と、ｂ）超音波映像データと前記超音波映像データに関連した映像パラメータとを含む超音波データを前記外部格納装置で検索する段階と、ｃ）検索された前記超音波映像データの圧縮如何に応じて、復元（ｄｅｃｏｍｐｒｅｓｓｉｏｎ）するかを判断する段階と、ｄ）前記検索された超音波映像データが圧縮データの場合、前記圧縮超音波映像データを復元する段階と、ｅ）前記超音波映像データ及び前記映像パラメータを読み出す段階を有する。
【発明の効果】
【００１０】
本発明によって、大容量の外部格納装置を超音波映像診断システムに用いることによって超音波エコー信号に基づいて形成された超音波データをリアルタイムで格納することができるだけでなく、ユーザーの要請に応じて容易に所望の超音波データを検索することができる。
【発明を実施するための最良の形態】
【００１１】
以下、図１〜図８を参照してみた発明の望ましい実施例を説明する。
図１は本発明の一実施例による超音波診断システムの構成を示すブロック図である。
【００１２】
図示された通り、本実施例による超音波診断システム（１００）はプローブ（１１０）、本体（１２０）、外部格納部（１３０）、ディスプレイ部（１４０）及び入力部（１５０）を備える。
【００１３】
プローブ（１１０）は１Ｄ（Ｄｉｍｅｎｓｉｏｎ）または２Ｄトランスデューサアレイ（１１２）を備える。本体（１２０）に備えられたビームフォーマー（１２１）は各トランスデューサに入力されるパルスの入力時間を適切に遅延させることによって、プローブ（１１０）は集束された超音波ビーム（ｂｅａｍ）を送信スキャンライン（Ｓｃａｎｌｉｎｅ）に沿って対象体（図示せず）に送信する。一方、対象体から反射された超音波エコー信号は各トランスデューサに互いに異なる時間に入力され、各トランスデューサは入力された超音波エコー信号を電気的信号（以下、受信信号）に変換してビームフォーマー（１２１）で出力する。
【００１４】
本体（１２０）はビームフォーマー（１２１）をはじめとして映像プロセッサ（１２２）、制御部（１２３）及びインターフェース部（１２４）を備える。
【００１５】
前記で言及したように、ビームフォーマー（１２１）はプローブ（１１０）の各トランスデューサに伝達される送信信号を制御して各トランスデューサから出力された超音波信号が集束点に集束されるようにする。
また、ビームフォーマー（１２１）は対象体内で反射された超音波エコー信号がプローブ（１１０）の各トランスデューサ（１１２）に到達する時間が互いに異なることを考慮し、プローブ（１１０）の各トランスデューサから出力された受信信号を適切に遅延させて受信信号を集束させる。
このように受信集束された受信信号からロウ（ｒａｗ）超音波データを生成する。ロウ超音波データはアナログデータでもよい。
【００１６】
映像プロセッサ（１２２）はロウ超音波イメージデータをデジタル信号処理のためにデジタルデータに変換し、デジタルデータに対して多様な種類の映像処理をしてデジタル超音波データを形成する。
ここで、デジタル超音波データはデジタル超音波映像データ及びこれと関連する映像パラメータとを含む。デジタル超音波映像データは２次元超音波映像データ、ドップラー映像データ、ドップラースペクトルデータ、Ｍ−モードデータ、Ｂ−モード映像データ、ＥＣＧデータなどを含む。
映像パラメータは２次元超音波映像データとドップラースペクトルデータのように互いに異なる種類のデータを同期させるためのデータ同期情報、超音波映像データで各フレームの獲得時間間隔情報、超音波映像データを処理するのに必要な映像処理情報、超音波映像データのデータ情報を表示するためのデータ表示情報などを含む。
データ処理情報は超音波映像データの利得（ｇａｉｎ）、ポストカーブ（ｐｏｓｔ  ｃｕｒｖｅ）、スケール（ｓｃａｌｅ）、ベースライン（ｂａｓｅ  ｌｉｎｅ）、ディスプレイモード（ｄｉｓｐｌａｙ  ｍｏｄｅ）、ディスプレイサイズ及びフレーム平均（ｆｒａｍｅ  ａｖｅｒａｇｅ）などを含む。
データ表示情報は超音波映像データでカラーボックス、深さメーター器（ｄｅｐｔｈ  ｍｅｔｅｒ）、サンプルボリュームライン及びＭラインに関連した情報を含む。また、映像プロセッサ（１２２）は外部格納部（１３０）から読み出した超音波映像情報に対して多様な後処理（Ｐｏｓｔｐｒｏｃｅｓｓｉｎｇ）をする。
【００１７】
制御部（１２３）は超音波診断システム（１００）の全体動作を制御する。一例として、制御部（１２３）は映像プロセッサ（１２２）から出力される超音波映像情報がユーザーの選択によってディスプレイ部（１４０）にディスプレイ、またはインターフェース部（１２４）を介して外部格納部（１３０）に格納されるように制御し、外部格納部（１３０）に格納された超音波映像情報が読み出されるように制御する。
そして、制御部（１２３）は外部格納部（１３０）に格納される超音波映像データに識別子を付与する。各識別子は超音波映像データの種類に応じて互いに異なるように付与される。
【００１８】
インターフェース部（１２４）は超音波データを外部に出力するために使われる。インターフェース（１２４）を介して出力される超音波データはＮＴＳＣ、ＰＡＬ、順次走査（ｐｒｏｇｒｅｓｓｉｖｅ  ｓｃａｎ）などの方式のように固定された周期で出力されることができる。また、超音波データの種類によって決定される特定周期に従って、インターフェース部（１２４）を介して出力されることができる。
【００１９】
本発明の一実施例によるインターフェース（１２４）は第１インターフェース部（１２４ａ）、第２インターフェース部（１２４ｂ）及び第３インターフェース部（１２４ｃ）を備える。
第１インターフェース部（１２４ａ）は超音波映像データを受信して外部格納部（１３０）に転送する。超音波映像データはビームフォーマー（１２１）から出力された超音波ロウデータ及び映像プロセッサ（１２２）から出力されたデジタル超音波映像データを含む。
第１インターフェース部（１２４ａ）はＶＨＳ端子、Ｓ−ＶＨＳ端子、Ｄ−サブ端子のうち、いずれか一つで具現されることができる。
第２インターフェース部（１２４ｂ）は映像プロセッサ（１２２）から出力されて超音波映像データに関連した映像パラメータを受信して外部格納部（１３０）に転送する。第２インターフェース部（１２４ｂ）はイーサネット（Ｅｔｈｅｒｎｅｔ（登録商標））、ＲＳ−２３２Ｃ，ＵＳＢ，ＩＥＥＥ１３９４、ブルートゥース（ｂｌｕｅ  ｔｏｏｔｈ）または赤外線ポートなどで具現されることができる。
第３インターフェース部（１２４ｃ）は外部格納部（１３０）を制御するための制御信号を外部格納部（１３０）に送信するために使われる。第３インターフェース部（１２４ｃ）は第２インターフェース部（１２４ｂ）と共にイーサネット（Ｅｔｈｅｒｎｅｔ（登録商標））、ＲＳ−２３２Ｃ、ＵＳＢ、ＩＥＥＥ１３９４、ブルートゥース（ｂｌｕｅ  ｔｏｏｔｈ）または赤外線ポートなどで具現されることができる。
【００２０】
外部格納部（１３０）はＮＴＳＣ、ＰＡＬ、順次走査（ｐｒｏｇｒｅｓｓｉｖｅ  ｓｃａｎ）などの方式のように固定された周期でインターフェース部（１２４）から超音波データを受信することができる。
また、外部格納部（１３０）は超音波データの種類によって決定される特定周期に従って、インターフェース部（１２４）を介して出力される超音波データを受信することができる。
外部格納部（１３０）は超音波ロウデータとデジタル超音波映像データを含む超音波映像データと映像パラメータを格納する。
外部格納部（１３０）はハードディスク、ＤＶＤまたはフラッシュメモリなどで具現されることができる。
【００２１】
ディスプレイ部（１４）は映像プロセッサ（１２２）からデジタル映像データを受信し、これに基づいて超音波映像をディスプレイする。
【００２２】
入力部（１５０）はユーザーの入力を受ける。制御部（１２３）はユーザーの入力に応答して超音波診断システム（１００）の動作を制御する。即ち、制御部（１２３）はユーザーの入力に応答して超音波診断システム（１００）を構成する多数の構成要素を制御するための多数の制御信号を生成する。
【００２３】
本発明の一実施例による外部格納部（１３０）を図２を参照してさらに詳細に説明する。
【００２４】
図２は本発明の一実施例による外部格納部の構成を示すブロック図である。示された通り、外部格納部（１３０）はインターフェース部（１３１）、コーデック部（１３２）及び格納部（１３３）を備える。
インターフェース部（１３１）は第４インターフェース部（１３１ａ）、第５インターフェース部（１３１ｂ）及び第６インターフェース部（１３１ｃ）を備える。
第４インターフェース部（１３１ａ）は本体（１２０）に備えられた第１インターフェース部（１２１ａ）と有線または無線通信で連結され、超音波映像データを受信して格納部（１３３）に伝達する。
超音波映像データは制御部（１２３）によって付与された識別子と共に格納部（１３３）に格納される。
超音波映像データは格納部（１３３）に格納されるデータの量を減らすために制御部（１２３）で生成された制御信号に従ってコーデック部（１３２）で圧縮されることができる。
超音波映像データがコーデック部（１３２）で圧縮されれば、圧縮情報も、超音波映像データと共に格納部（１３３）に格納される。
第４インターフェース部（１３１ａ）はＶＨＳ端子、Ｓ−ＶＨＳ端子またはＤ−サブ端子などで具現されることができる。
【００２５】
第５インターフェース部（１３１ｂ）は第２インターフェース部（１２４ｂ）と有線または無線通信で連結され、超音波映像データと関連した映像パラメータを受信して格納部（１３３）に伝達する。
第６インターフェース部（１３１ｃ）は第３インターフェース部（１２４ｃ）と有線または無線通信で連結されて制御信号を受信する。第５インターフェース部（１３１ｂ）及び第６インターフェース部（１３１ｃ）はイーサネット（登録商標）、ＲＳ−２３２Ｃ、ＵＳＢ、ＩＥＥＥ１３９４、ブルートゥースまたは赤外線ポートなどで具現されることができる。
【００２６】
コーデック部（１３２）は格納部（１３３）に格納される超音波データを圧縮し、格納部（１３３）から読み出された圧縮超音波データを復元するために使われる。
格納部は第４インターフェース部（１３１ａ）を介して伝達された超音波映像データ及び第５インターフェース部（１３１ｂ）を介して伝達された映像パラメータとを含む超音波データを第６インターフェース部（１３１ｃ）で受信された制御信号に応答して格納する。
【００２７】
以下、超音波映像情報を外部格納部（１３０）に格納する手順について図３を参照して詳細に説明する。
【００２８】
図３は本発明の一実施例による超音波映像情報を格納する手順を示すフローチャートである。
【００２９】
図示された通り、超音波ロウデータ、デジタル超音波映像データ及び映像パラメータとを含む超音波データを形成した後（Ｓ３１０）、ユーザーが超音波データを外部格納部（１３０）に格納するためのデータ格納モードを選択すれば（Ｓ３２０）、制御部は各超音波映像データに識別子をそれぞれ付与する（Ｓ３３０）。
【００３０】
以後、超音波データは第１インターフェース部（１２４ａ）を介して外部格納部（１３０）の第４インターフェース部（１３１ａ）に伝達され、映像パラメータは第２インターフェース部（１２４ｂ）を介して外部格納部（１３０）の第５インターフェース部（１３１ｂ）に伝達される（Ｓ３４０）。
続いて、第６インターフェース部（１３１ｃ）に受信された制御信号に従って超音波映像データを圧縮するかを判断する（Ｓ３５０）。
もし、段階Ｓ３５０で超音波映像データを圧縮すると判断されれば、超音波映像データはコーデック部（１３２）で圧縮される（Ｓ３６０）。
圧縮された超音波映像データは映像パラメータと共に格納部（１３３）に格納される（Ｓ３７０）。超音波映像データはユーザーの選択に従って、圧縮なしに格納部（１３３）に格納できる。
【００３１】
以下、外部格納部に格納された超音波映像情報を読み出す手順を図４を参照して詳細に説明する。
【００３２】
図４は本発明の一実施例による格納された超音波映像情報を読み出す手順を示すフローチャートである。
【００３３】
図示された通り、ユーザーが入力部（１５０）を介して格納部（１３０）から超音波データを読み出すためのデータリードモード（ｄａｔａ  ｒｅａｄ  ｍｏｄｅ）を選択すれば（Ｓ４１０）、制御部（１２３）は第３インターフェース部（１２４ｃ）及び第６インターフェース部（１３１ｃ）を介してユーザーの選択に対応する超音波映像データと映像パラメータを検索するための制御信号を外部格納部（１３０）に転送する（Ｓ４２０）。
データ検索工程はまず映像パラメータに対して実施できる。ユーザーの選択に対応する映像パラメータを検索した後、検索された映像パラメータに対応する超音波映像データを識別子を確認して検索することができる。
本発明の一実施例ではユーザーの選択に従って、超音波映像の一部のみ検索できる。例えば、ユーザーの選択に従って、超音波ＥＣＧデータで３番目のＥＣＧピークから６番目のＥＣＧピークまでの特定のＥＣＧデータを検索することができる。
【００３４】
続いて、検索された超音波映像データを共に格納された圧縮情報を用いて復元をするかどうかを判断する（Ｓ４３０）。
もし検索された超音波映像データが圧縮超音波映像データであればコーデック部（１３２）で圧縮超音波映像データを復元する（Ｓ４４０）。
以後、検索された超音波映像データは第４インターフェース部（１３１ａ）及び第１インターフェース部（１２４ａ）を介して映像プロセッサ（１２２）に伝達され（Ｓ４５０）、検索された映像パラメータは第５インターフェース部（１３１ｂ）及び第２インターフェース部（１２４ｂ）を介して映像プロセッサ（１２２）に伝達される（Ｓ４６０）。
【００３５】
本発明の一実施例ではユーザーの入力によって特定時間の間または特定データ量だけ外部格納部（１３０）に超音波データを格納することができる。また、超音波データは特定イベントに従って、外部格納部（１３０）に格納できる。
例えば、ユーザーの入力に従って、３番のＥＣＧトリガー信号に該当するＥＣＧデータが外部格納部（１３０）に格納できる。そして、本発明の他の実施例ではユーザーの入力なしに最近所定時間の間、獲得した超音波データを外部格納部（１３０）に格納することができる。
【００３６】
一方、本発明によって、超音波データを格納する時に超音波映像データの識別子と超音波映像データの情報を示す映像パラメータが共に格納されるためにユーザーの望む超音波データを外部格納部で容易に検索することができる。
【００３７】
本発明の望ましい実施例を通じて説明して例示したが、当業者であれば添付した請求の範囲の思想及び範疇を逸脱せずに様々な変形及び変更がなされることが分かる。
【図面の簡単な説明】
【００３８】
【図１】本発明の一実施例による超音波診断システムの構成を示すブロック図である。
【図２】本発明の一実施例による外部格納部の構成を示すブロック図である。
【図３】本発明の一実施例による超音波データを格納する過程を示すフローチャートである。
【図４】本発明の一実施例による格納された超音波データを読み出す過程を示すフローチャートである。
【符号の説明】
【００３９】
１００：超音波診断システム            １１０：プローブ
１１２：トランスデューサアレイ        １２０：本体
１２１：ビームフォーマー              １２２：映像プロセッサ
１２３：制御部                        １２４：インターフェース部
１２４ａ：第１インターフェース部      １２４ｂ：第２インターフェース部
１２４ｃ：第３インターフェース部      １３０：外部格納部
１３１：インターフェース部            １３１ａ：第４インターフェース部
１３１ｂ：第５インターフェース部      １３１ｃ：第６インターフェース部
１３２：コーデック部                  １３３：格納部
１４０：ディスプレイ部
【図１】
2006346467.tif 000003
【図２】
2006346467.tif 000004
【図３】
2006346467.tif 000005
【図４】
2006346467.tif 000006